(57)【要約】【課題】既に広く普及している多くの無線デバイスに新たな機能を追加することなく、無線デバイスが、接続先の無線通信システムを切り替えることができるアクセスポイント装置を提供すること【解決手段】本発明にかかるアクセスポイント装置２は、無線ＬＡＮ通信を介して通信端末１と接続する無線ＬＡＮ通信部１２と、通信端末１の識別情報を管理する管理部１１と、を備える。無線ＬＡＮ通信部１２は、通信端末１が他のアクセスポイント装置と近距離無線通信を介して接続した際に、他のアクセスポイント装置から送信された通信端末１の識別情報を受信すると、通信端末１との接続を解除する。【選択図】図１
2016072671.tif 000002
【特許請求の範囲】
【請求項１】
無線ＬＡＮ通信を介して通信端末と接続する無線ＬＡＮ通信部と、
前記通信端末の識別情報を管理する管理部と、を備え、
前記無線ＬＡＮ通信部は、
前記通信端末が他のアクセスポイント装置と近距離無線通信を介して接続した際に、前記他のアクセスポイント装置から送信された前記通信端末の識別情報を受信すると、前記通信端末との接続を解除する、アクセスポイント装置。
【請求項２】
前記管理部は、
前記通信端末のＭＡＣアドレスと、前記通信端末が近距離無線通信を行う際に前記通信端末を識別するために使用される近距離無線通信アドレスとを関連づけて管理する、請求項１に記載のアクセスポイント装置。
【請求項３】
前記管理部は、
前記通信端末が近距離無線通信を介して接続した際に、近距離無線通信アドレスを受け取り、前記通信端末を識別するＭＡＣアドレスと、前記通信端末を識別する近距離無線通信アドレスとを関連付けることを指示する指示情報を受け取ると、前記通信端末を識別するＭＡＣアドレスと、前記通信端末を識別する近距離無線通信アドレスとを関連付けて管理する、請求項２に記載のアクセスポイント装置。
【請求項４】
受信したデータが、前記他のアクセスポイント装置から送信された前記通信端末の識別情報を含むデータであるか否かを判定する解析部をさらに備える、請求項１乃至３のいずれか１項に記載のアクセスポイント装置。
【請求項５】
無線ＬＡＮ通信エリアを形成する無線ＬＡＮ通信部と、
前記無線ＬＡＮ通信エリアに含まれる近距離無線通信エリアを形成し、前記近距離無線通信エリア内に移動してきた通信端末と近距離無線通信を行う近距離無線通信部と、
前記通信端末と他のアクセスポイント装置との間の無線ＬＡＮ通信を介した接続を解除させるために、前記通信端末の識別情報を他のアクセスポイント装置へ送信するＷＡＮ通信部と、を備えるアクセスポイント装置。
【請求項６】
前記無線ＬＡＮ通信部は、
前記通信端末の識別情報を受信した前記他のアクセスポイント装置において無線ＬＡＮ通信を解除された前記通信端末から送信された接続要求に応じて、前記通信端末と無線ＬＡＮ通信を介して接続する、請求項５に記載のアクセスポイント装置。
【請求項７】
前記ＷＡＮ通信部は、
複数のアクセスポイント装置へ、前記通信端末の識別情報を送信する、請求項５又は６に記載のアクセスポイント装置。
【請求項８】
通信端末と無線ＬＡＮ通信を介して接続している第１のアクセスポイント装置と、
前記第１のアクセスポイント装置の周辺に位置する第２のアクセスポイント装置と、を備える無線ＬＡＮ通信システムであって、
前記通信端末が前記第２のアクセスポイント装置が形成する近距離無線通信エリアに移動し、前記第２のアクセスポイント装置と近距離無線通信を行うと、
前記第２のアクセスポイント装置は、
前記通信端末の識別情報を前記第１のアクセスポイント装置へ送信し、
前記第１のアクセスポイント装置は、
前記通信端末の識別情報を受信すると、前記通信端末との接続を解除する、通信システム。
【請求項９】
無線ＬＡＮ通信を介して通信端末と接続し、
前記通信端末が他のアクセスポイント装置と近距離無線通信を介して接続した際に、前記他のアクセスポイント装置から送信された前記通信端末の識別情報を受信し、
前記通信端末との接続を解除する、無線ＬＡＮ通信接続解除方法。
【請求項１０】
無線ＬＡＮ通信を介して通信端末と接続し、
前記通信端末が他のアクセスポイント装置と近距離無線通信を介して接続した際に、前記他のアクセスポイント装置から送信された前記通信端末の識別情報を受信し、
前記通信端末との接続を解除することをコンピュータに実行させるプログラム。
【発明の詳細な説明】
【技術分野】
【０００１】
本発明はアクセスポイント装置、通信システム、無線ＬＡＮ通信接続解除方法及びプログラムに関し、例えば通信装置の接続先のアクセスポイント装置を切り替えを可能とするアクセスポイント装置、通信システム、無線ＬＡＮ通信接続解除方法及びプログラムに関する。
【背景技術】
【０００２】
近年、無線ＬＡＮ（Local Area Network）エリアを拡張するために、複数のアクセスポイント装置（Access Point：ＡＰ）を設置する事が増えている。その一方で、アクセスポイント装置を複数台設置することにより、次のような弊害も発生している。例えば、家庭内に構築された無線ＬＡＮエリアにおいて、リビングと寝室とにアクセスポイント装置が設置されている環境を考える。
【０００３】
ユーザーが、スマートフォンをリビングにおいて使用すると、スマートフォンはリビングに設置されたアクセスポイント装置に接続する。その後、ユーザーがスマートフォンを持って寝室に移動した場合、スマートフォンは、寝室のアクセスポイント装置に接続し直されることが理想である。しかし、多くのスマートフォンは、ユーザー操作を伴う接続先アクセスポイント装置の切り替え作業が必要であり、自動で切り替える機能は搭載されていない。よって、アクセスポイント装置は、寝室へ移動した後であっても、リビングに設置されている遠くのアクセスポイント装置に接続し続けてしまう。
【０００４】
その結果、スマートフォンは、近くに電波強度が強く、高い通信品質が期待できるアクセスポイント装置が設置されているにも関わらず、遠くの電波強度が弱く、低い通信品質のアクセスポイント装置に接続し続けてしまう。
【０００５】
特許文献１には、無線デバイスが、第１の無線通信システムの有効範囲エリアから第２の無線通信システムの有効範囲エリアへ移動したことを検出し、第２の無線通信システムへの登録を開始することが開示されている。このように、無線デバイスは、接続先の無線通信システムを切り替えることによって、近くのアクセスポイント装置に接続することが可能となる。
【先行技術文献】
【特許文献】
【０００６】
【特許文献１】特表２００７−５０３７５９号公報
【発明の概要】
【発明が解決しようとする課題】
【０００７】
特許文献１には、無線デバイスが、現在接続している無線通信システムとは異なる無線通信システムを検知する機能及び接続先の無線通信システムを切り替える機能を新たに有することが記載されている。しかし、無線デバイスに新たな機能を搭載することが必要となる場合、既に使用されている多くの無線デバイスは、現在接続している無線通信システムとは異なる無線通信システムを検知する機能及び接続先の無線通信システムを切り替える機能を実行することができないという問題がある。
【０００８】
本発明の目的は、既に広く普及している多くの無線デバイスに新たな機能を追加することなく、無線デバイスが、接続先の無線通信システムを切り替えることができるアクセスポイント装置、通信システム、無線ＬＡＮ通信接続解除方法及びプログラムを提供することにある。
【課題を解決するための手段】
【０００９】
本発明の第１の態様にかかるアクセスポイント装置は、無線ＬＡＮ通信を介して通信端末と接続する無線ＬＡＮ通信部と、前記通信端末の識別情報を管理する管理部と、を備え、前記無線ＬＡＮ通信部は、前記通信端末が他のアクセスポイント装置と近距離無線通信を介して接続した際に、前記他のアクセスポイント装置から送信された前記通信端末の識別情報を受信すると、前記通信端末との接続を解除するものである。
【００１０】
本発明の第２の態様にかかる通信システムは、通信端末と無線ＬＡＮ通信を介して接続している第１のアクセスポイント装置と、前記第１のアクセスポイント装置の周辺に位置する第２のアクセスポイント装置と、を備える無線ＬＡＮ通信システムであって、前記通信端末が前記第２のアクセスポイント装置が形成する近距離無線通信エリアに移動し、前記第２のアクセスポイント装置と近距離無線通信を行うと、前記第２のアクセスポイント装置は、前記通信端末の識別情報を前記第１のアクセスポイント装置へ送信し、前記第１のアクセスポイント装置は、前記通信端末の識別情報を受信すると、前記通信端末との接続を解除するものである。
【００１１】
本発明の第３の態様にかかる無線ＬＡＮ通信接続解除方法は、無線ＬＡＮ通信を介して通信端末と接続し、前記通信端末が他のアクセスポイント装置と近距離無線通信を介して接続した際に、前記他のアクセスポイント装置から送信された前記通信端末の識別情報を受信し、前記通信端末との接続を解除するものである。
【００１２】
本発明の第４の態様にかかるプログラムは、無線ＬＡＮ通信を介して通信端末と接続し、前記通信端末が他のアクセスポイント装置と近距離無線通信を介して接続した際に、前記他のアクセスポイント装置から送信された前記通信端末の識別情報を受信し、前記通信端末との接続を解除することをコンピュータに実行させものである。
【発明の効果】
【００１３】
本発明により、既に広く普及している多くの無線デバイスに新たな機能を追加することなく、無線デバイスが、接続先の無線通信システムを切り替えることができるアクセスポイント装置、通信システム、無線ＬＡＮ通信接続解除方法及びプログラムを提供することができる。
【図面の簡単な説明】
【００１４】
【図１】実施の形態１にかかる通信システムの構成図である。
【図２】実施の形態２にかかる通信システムの構成図である。
【図３】実施の形態２にかかるアクセスポイント装置の構成図である。
【図４】実施の形態２にかかるＳＴＡ識別情報データベースが管理する情報を示す図である。
【図５】実施の形態２にかかるアクセスポイント装置の構成図である。
【図６】実施の形態２にかかるＳＴＡの識別情報をアクセスポイント装置へ登録する処理の流れを示す図である。
【図７】実施の形態２にかかるＳＴＡが接続するアクセスポイント装置を切り替える処理の流れを示す図である。
【発明を実施するための形態】
【００１５】
（実施の形態１）
以下、図面を参照して本発明の実施の形態について説明する。はじめに、図１を用いて本発明の実施の形態１にかかる通信システムの構成例について説明する。図１の通信システムは、通信端末１、アクセスポイント装置２及びアクセスポイント装置３を有している。
【００１６】
本図においては、通信端末１が、アクセスポイント装置２と無線ＬＡＮ通信を介して接続している状態において、アクセスポイント装置３の近傍に移動している様子を示している。アクセスポイント装置３の近傍は、例えば、通信端末１が、近距離無線通信を介して接続することができる範囲であってもよい。近距離無線通信を介して接続することができる範囲は、無線ＬＡＮ通信を介して接続することができる範囲よりも狭い。通信端末１は、例えば、携帯電話端末、スマートフォン端末もしくは通信機能を有するコンピュータ装置等であってもよい。
【００１７】
アクセスポイント装置２及びアクセスポイント装置３は、無線ＬＡＮ通信エリアを形成する装置である。アクセスポイント装置２及びアクセスポイント装置３は、無線ＬＡＮ通信においてＳＳＩＤ（Service Set Identifier）を管理する親機として動作する。無線ＬＡＮ通信は、例えば、ＩＥＥＥ８０２．１１において定められた通信規格を用いた通信である。
【００１８】
次に、アクセスポイント装置２の構成例について説明する。アクセスポイント装置２は、通信端末１が現在無線ＬＡＮ通信を介して接続している装置である。アクセスポイント装置２は、管理部１１及び無線ＬＡＮ通信部１２を有している。
【００１９】
無線ＬＡＮ通信部１２は、無線ＬＡＮ通信を介して通信端末１と接続する。ここで、無線ＬＡＮ通信部１２が通信端末１と接続するとは、無線ＬＡＮ通信部１２が、通信端末１と通信可能な状態であることも含む。また、無線ＬＡＮ通信部１２が通信端末１と接続するとは、無線ＬＡＮ通信部１２と通信端末１とが、無線リンクを確立した状態であることも含む。
【００２０】
管理部１１は、通信端末１の識別情報を管理する。管理部１１は、例えば、アクセスポイント装置２内のメモリであってもよく、アクセスポイント装置２に接続された記録装置等であってもよい。通信端末１の識別情報は、例えば、近距離無線通信において通信端末１を識別するためのアドレス情報であってもよく、その他、通信端末１を一意に識別することができる任意の情報であってもよい。任意の情報は、例えば、英数字等が組み合わせられた文字情報であってもよい。
【００２１】
次に、通信端末１が、アクセスポイント装置３と近距離無線通信を行うことができるエリアへ移動した際のアクセスポイント装置２の動作について説明する。アクセスポイント装置２は、通信端末１がアクセスポイント装置３と近距離無線通信を介して接続した際に、アクセスポイント装置３から送信される通信端末１の識別情報を受信する。例えば、アクセスポイント装置２は、通信端末１の識別情報として、通信端末１が近距離無線通信を行う際に使用するアドレス情報を受信する。この場合、無線ＬＡＮ通信部１２は、管理部１１を用いて、受信した識別情報が示す通信端末を特定することができる。次に、無線ＬＡＮ通信部１２は、特定した通信端末との間の無線ＬＡＮ通信を介した接続を解除もしくは切断する。
【００２２】
近距離無線通信を介して接続することができるエリアは、無線ＬＡＮ通信を介して接続することができるよりも狭い。言い換えると、近距離無線通信を介してアクセスポイント装置３と接続することができるエリアは、アクセスポイント装置３の近傍に限定される。そのため、通信端末１が、アクセスポイント装置３と近距離無線通信を介して接続することができた場合、通信端末１は、アクセスポイント装置２よりもアクセスポイント装置３に近い位置に存在するといえる。
【００２３】
以上説明したように、図１のアクセスポイント装置２は、通信端末１がアクセスポイント装置３の近傍へ移動したことを、アクセスポイント装置３から送信された通信端末１の識別情報を受信したことによって認識する。言い換えると、アクセスポイント装置２は、通信端末１が、アクセスポイント装置２よりもアクセスポイント装置３の近くに位置していることを認識することができる。
【００２４】
アクセスポイント装置２が、通信端末１との無線ＬＡＮ通信を介した接続を切断することによって、通信端末１は、周囲の電波を検索し、近くに存在するアクセスポイント装置３と無線ＬＡＮ通信を介した接続を確立することができる。つまり、図１の通信システムを用いることによって、アクセスポイント装置２が他のアクセスポイント装置近傍へ移動した通信端末１との無線ＬＡＮ通信を介した接続を解除することができるため、通信端末１は、アクセスポイント装置の再検索を実行することができる。アクセスポイント装置の再検索は、一般的に知られている技術である。そのため、通信端末１は、新たな機能を搭載することなく、近くに存在するアクセスポイント装置３へ接続しなおすことができる。
【００２５】
（実施の形態２）
続いて、図２を用いて本発明の実施の形態２にかかる通信システムの構成例について説明する。図２は、アクセスポイント装置（ＡＰ）２が、Ｂｌｕｅｔｏｏｔｈ（登録商標）通信エリア２０１及びＷＬＡＮ通信エリア（無線ＬＡＮ通信エリア）２０２を形成し、アクセスポイント装置３が、Ｂｌｕｅｔｏｏｔｈ通信エリア３０１及びＷＬＡＮ通信エリア３０２を形成していることを示している。
【００２６】
さらに、ＳＴＡ１０が、アクセスポイント装置２と無線ＬＡＮ通信を介して接続している状態において、アクセスポイント装置３とＢｌｕｅｔｏｏｔｈ通信を介して接続していることを示している。言い換えると、ＳＴＡ１０は、ＷＬＡＮ通信エリア２０２内に位置し、かつ、Ｂｌｕｅｔｏｏｔｈ通信エリア３０１内に位置している。ＳＴＡ１０は、図１の通信端末１に相当する。さらに、図２においては、近距離無線通信の具体例としてＢｌｕｅｔｏｏｔｈ通信を用いている。さらに、図２は、ＷＬＡＮ通信エリア２０２の一部及びＷＬＡＮ通信エリア３０２の一部が重複していることを示している。さらに、図２は、Ｂｌｕｅｔｏｏｔｈ通信エリア２０１及びＢｌｕｅｔｏｏｔｈ通信エリア３０１が、アクセスポイント装置の近傍の狭いエリアに形成されるため、Ｂｌｕｅｔｏｏｔｈ通信エリア２０１及びＢｌｕｅｔｏｏｔｈ通信エリア３０１が、重複していないことを示している。
【００２７】
続いて、図３を用いて本発明の実施の形態２にかかるアクセスポイント装置２の構成例について説明する。アクセスポイント装置２は、ＳＴＡ１０の移動に伴い、ＳＴＡ１０との無線ＬＡＮ通信を介した接続を解除する装置である。
【００２８】
アクセスポイント装置２は、ＷＡＮ（Wide Area Network） Ｉ／Ｆ２１、ＷＬＡＮ Ｉ／Ｆ２２、Ｂｌｕｅｔｏｏｔｈ Ｉ／Ｆ２３、フレーム解析部２４、ＷＬＡＮ ＡＰ処理部２５、ＳＴＡ識別情報データ生成部２６、ユーザ設定Ｉ／Ｆ２７及びＷＬＡＮ切断制御部２８を有している。
【００２９】
ＷＡＮ Ｉ／Ｆ２１は、アクセスポイント装置２をネットワークに接続するための一般的なネットワークインタフェースである。アクセスポイント装置２が接続するネットワークは、家庭内ネットワーク等、ローカルネットワークであってもよい。アクセスポイント装置２は、ローカルネットワークを介してインターネット等他のネットワークに接続してもよい。
【００３０】
ＷＡＮ Ｉ／Ｆ２１は、ネットワークから送信された通信データを受信すると、受信した通信データをフレーム解析部２４へ出力する。また、ＷＡＮ Ｉ／Ｆ２１は、フレーム解析部２４から出力された通信データを受け取ると、受け取った通信データをネットワークへ送信する。
【００３１】
ＷＬＡＮ Ｉ／Ｆ２２は、標準規格であるWi-Fi(Wireless Fidelity)に規定されるような、一般的なＷＬＡＮインタフェース機能を提供する。Wi-Fiにおいては、例えば、ＩＥＥＥ８０２．１１において規定される通信方式が用いられる。
【００３２】
ＷＬＡＮ Ｉ／Ｆ２２は、ＳＴＡ１０と無線ＬＡＮ通信を介して接続する。ＷＬＡＮ Ｉ／Ｆ２２は、ＳＴＡ１０から送信された通信データを受信すると、受信した通信データをＷＬＡＮ ＡＰ処理部２５へ出力する。また、ＷＬＡＮ Ｉ／Ｆ２２は、ＷＬＡＮ ＡＰ処理部２５から出力された通信データを受け取ると、受け取った通信データをＳＴＡ１０へ送信する。
【００３３】
ＷＬＡＮ Ｉ／Ｆ２２は、ＷＬＡＮ切断指示部２８４からＷＬＡＮ切断指示メッセージを受け取ると、ＳＴＡ１０との間の無線ＬＡＮ接続を切断する。また、ＷＬＡＮ Ｉ／Ｆ２２は、ＳＴＡ１０と無線ＬＡＮ接続を確立すると、無線ＬＡＮ通信において用いられるＭＡＣアドレスに関する情報をＳＴＡ識別情報データ生成部２６へ出力する。
【００３４】
Ｂｌｕｅｔｏｏｔｈ Ｉ／Ｆ２３は、Ｂｌｕｅｔｏｏｔｈ通信を実行する一般的なインタフェース機能を提供する。Ｂｌｕｅｔｏｏｔｈ Ｉ／Ｆ２３は、ＳＴＡ１０とＢｌｕｅｔｏｏｔｈ接続もしくはペアリングを確立すると、ＳＴＡ１０のＢｌｕｅｔｏｏｔｈアドレスに関する情報をＳＴＡ識別情報データ生成部２６へ出力する。ＳＴＡ１０のＢｌｕｅｔｏｏｔｈアドレスは、ＳＴＡ１０がＢｌｕｅｔｏｏｔｈ通信を行う際に、ＳＴＡ１０を識別する情報として用いるアドレスである。
【００３５】
フレーム解析部２４は、ＷＡＮ Ｉ／Ｆ２１から出力された通信データを受け取る。フレーム解析部２４は、受け取った通信データが通常の通信データである場合、通信データをＷＬＡＮ ＡＰ処理部２５へ出力する。フレーム解析部２４は、受け取った通信データがＳＴＡ識別情報フレームである場合、通信データをＳＴＡ識別情報フレーム受信部２８１へ出力する。通常の通信データとは、例えば、ＳＴＡ１０等を送信先とするテキストデータ、画像データもしくは動画データ等であってもよい。ＳＴＡ識別情報フレームは、ＳＴＡ１０がアクセスポイント装置２とは異なる他のアクセスポイント装置とＢｌｕｅｔｏｏｔｈ接続を行った際に、他のアクセスポイント装置から送信されるＳＴＡ１０のＢｌｕｅｔｏｏｔｈアドレス情報を含むフレームである。ＳＴＡ識別情報は、近距離無線通信を行う際にＳＴＡを識別するために用いられる情報の総称であり、Ｂｌｕｅｔｏｏｔｈアドレスを含む。
【００３６】
フレーム解析部２４は、ＷＬＡＮ ＡＰ処理部２５から出力された通信データを受け取ると、受け取った通信データをＷＡＮ Ｉ／Ｆ２１へ出力する。
【００３７】
ＷＬＡＮ ＡＰ処理部２５は、ＷＬＡＮ Ｉ／Ｆ２２を介して接続しているＳＴＡ１０が、アクセスポイント装置２を介してネットワークと通信することができるように、ＷＬＡＮ Ｉ／Ｆ２２とフレーム解析部２４との間の通信を中継する。
【００３８】
ＳＴＡ識別情報データ生成部２６は、ＷＬＡＮ Ｉ／Ｆ２２から出力されたＭＡＣアドレスに関する情報と、Ｂｌｕｅｔｏｏｔｈ Ｉ／Ｆ２３から出力されたＢｌｕｅｔｏｏｔｈアドレスに関する情報とを受け取る。この時点においては、ＳＴＡ識別情報データ生成部２６は、受け取ったＭＡＣアドレスとＢｌｕｅｔｏｏｔｈアドレスとが同一のＳＴＡの識別情報であることを認識していない。
【００３９】
ＳＴＡ識別情報データ生成部２６は、ユーザ設定Ｉ／Ｆ２７から出力された指示情報に基づいて、受け取ったＭＡＣアドレスとＢｌｕｅｔｏｏｔｈアドレスとがＳＴＡ１０の識別情報であることを認識する。ＳＴＡ識別情報データ生成部２６は、受け取ったＭＡＣアドレス及びＢｌｕｅｔｏｏｔｈアドレスと、ＳＴＡ１０とを関連付けた組み合わせ情報をＳＴＡ識別情報ＤＢ２８３へ出力する。
【００４０】
ユーザ設定Ｉ／Ｆ２７は、例えばＧＵＩ（Graphical User Interface）を介してユーザから入力された情報を指示情報としてＳＴＡ識別情報データ生成部２６へ出力する。ユーザ設定Ｉ／Ｆ２７は、ＳＴＡ識別情報データ生成部２６が受け取ったＭＡＣアドレスとＢｌｕｅｔｏｏｔｈアドレスとをＧＵＩ上に表示してもよい。ユーザは、ＧＵＩ上に表示されたＭＡＣアドレス及びＢｌｕｅｔｏｏｔｈアドレスがＳＴＡ１０を識別することを示す情報を入力する。
【００４１】
次に、ＷＬＡＮ切断制御部２８について説明する。ＷＬＡＮ切断制御部２８は、ＳＴＡ識別情報フレーム受信部２８１、ＷＬＡＮ情報取得部２８２、ＳＴＡ識別情報ＤＢ２８３及びＷＬＡＮ切断指示部２８４を有している。
【００４２】
ＳＴＡ識別情報フレーム受信部２８１は、フレーム解析部２４から出力されたＳＴＡ識別情報フレームを受け取る。ＳＴＡ識別情報フレーム受信部２８１は、ＳＴＡ識別情報フレームに、ＳＴＡ識別情報として設定されているＢｌｕｅｔｏｏｔｈアドレスをＷＬＡＮ情報取得部２８２へ出力する。
【００４３】
ＷＬＡＮ情報取得部２８２は、ＳＴＡ識別情報フレーム受信部２８１から出力されたＢｌｕｅｔｏｏｔｈアドレスを受け取ると、ＢｌｕｅｔｏｏｔｈアドレスをＳＴＡ識別情報ＤＢ２８３へ出力する。また、ＷＬＡＮ情報取得部２８２は、ＳＴＡ識別情報ＤＢ２８３から出力されたＳＴＡ１０のＭＡＣアドレスを受け取ると、受け取ったＭＡＣアドレスをＷＬＡＮ切断指示部２８４へ出力する。
【００４４】
ＳＴＡ識別情報ＤＢ２８３は、ＳＴＡ識別情報データ生成部２６から出力された、ＭＡＣアドレス及びＢｌｕｅｔｏｏｔｈアドレスと、ＳＴＡ１０とを関連付けた組み合わせ情報を管理する。ここで、図４を用いてＳＴＡ識別情報ＤＢ２８３が管理する情報について説明する。ＳＴＡ識別情報ＤＢ２８３は、図４に示すように、ＳＴＡと、Ｂｌｕｅｔｏｏｔｈアドレスと、ＭＡＣアドレスとを関連づけて管理している。図４においては、ＳＴＡ識別情報ＤＢ２８３が、ＳＴＡ１〜ＳＴＡ１０のそれぞれのＢｌｕｅｔｏｏｔｈアドレスとＭＡＣアドレスとを管理していることを示している。
【００４５】
図３に戻り、ＳＴＡ識別情報ＤＢ２８３は、ＷＬＡＮ情報取得部２８２から出力されたＢｌｕｅｔｏｏｔｈアドレスを受け取る。ＳＴＡ識別情報ＤＢ２８３は、受け取ったＢｌｕｅｔｏｏｔｈアドレスに関連づけられたＭＡＣアドレスを特定する。ＳＴＡ識別情報ＤＢ２８３は、特定したＭＡＣアドレスをＷＬＡＮ情報取得部２８２へ出力する。
【００４６】
ＷＬＡＮ切断指示部２８４は、ＷＬＡＮ情報取得部２８２から出力されたＭＡＣアドレスを受け取ると、ＷＬＡＮ Ｉ／Ｆ２２に対して、受け取ったＭＡＣアドレスに該当するＳＴＡとの接続を切断することを指示する切断指示メッセージを送信する。
【００４７】
続いて、図５を用いて本発明の実施の形態２にかかるアクセスポイント装置３の構成例について説明する。アクセスポイント装置３は、ＳＴＡ１０がアクセスポイント装置３の近傍に移動してきたことに伴い、ＳＴＡ１０とＢｌｕｅｔｏｏｔｈ通信を介した接続を行う装置である
【００４８】
アクセスポイント装置３は、ＷＡＮ Ｉ／Ｆ３１、ＷＬＡＮ Ｉ／Ｆ３２、ＷＬＡＮ ＡＰ処理部３３、Ｂｌｕｅｔｏｏｔｈ Ｉ／Ｆ３４及びＳＴＡ識別情報制御部３５を有している。
【００４９】
ＷＡＮ Ｉ／Ｆ３１は、アクセスポイント装置３をネットワークに接続するための一般的なネットワークインタフェースである。アクセスポイント装置３が接続するネットワークは、アクセスポイント装置２も接続されているローカルネットワークであってもよい。
【００５０】
ＷＡＮ Ｉ／Ｆ３１は、ネットワークから送信された通信データを受信すると、受信した通信データをＷＬＡＮ ＡＰ処理部３３へ出力する。また、ＷＡＮ Ｉ／Ｆ３１は、ＷＬＡＮ ＡＰ処理部３３から出力された通信データを受け取ると、受け取った通信データをネットワークへ送信する。
【００５１】
ＷＡＮ Ｉ／Ｆ３１は、ＳＴＡ識別情報制御部３５から出力されたＳＴＡ識別情報フレームを受け取ると、受け取ったＳＴＡ識別情報フレームをネットワークへ送信する。
【００５２】
ＷＬＡＮ Ｉ／Ｆ３２は、標準規格であるWi-Fi(Wireless Fidelity)に規定されるような、一般的なWLANインタフェース機能を提供する。
【００５３】
ＷＬＡＮ Ｉ／Ｆ３２は、ＳＴＡ１０から送信された通信データを受信すると、受信した通信データをＷＬＡＮ ＡＰ処理部３３へ送信する。ＷＬＡＮ Ｉ／Ｆ３２は、ＷＬＡＮ ＡＰ処理部３３から出力された通信データを受け取ると、受け取った通信データをＳＴＡ１０へ送信する。
【００５４】
ＷＬＡＮ ＡＰ処理部３３は、ＷＬＡＮ Ｉ／Ｆ３２を介して接続しているＳＴＡ１０が、アクセスポイント装置３を介してネットワークと通信することができるように、ＷＬＡＮ Ｉ／Ｆ３２とＷＡＮ Ｉ／Ｆ３１との間の通信を中継する。
【００５５】
Ｂｌｕｅｔｏｏｔｈ Ｉ／Ｆ３４は、一般的なＢｌｕｅｔｏｏｔｈインタフェース機能を提供する。Ｂｌｕｅｔｏｏｔｈ Ｉ／Ｆ３４は、ＳＴＡ１０とＢｌｕｅｔｏｏｔｈ通信を介して接続すると、ＳＴＡ１０のＢｌｕｅｔｏｏｔｈアドレスをＳＴＡ識別情報制御部３５へ出力する。
【００５６】
次に、ＳＴＡ識別情報制御部３５の構成例について説明する。ＳＴＡ識別情報制御部３５は、ＳＴＡ識別情報取得部３５１、ＳＴＡ識別情報フレーム生成部３５２及びＳＴＡ識別情報フレーム送信部３５３を有している。
【００５７】
ＳＴＡ識別情報取得部３５１は、Ｂｌｕｅｔｏｏｔｈ Ｉ／Ｆ３４から出力されたＢｌｕｅｔｏｏｔｈアドレスを受け取る。ＳＴＡ識別情報取得部３５１は、受け取ったＢｌｕｅｔｏｏｔｈアドレスをＳＴＡ識別情報として、ＳＴＡ識別情報フレーム生成部３５２へ出力する。
【００５８】
ＳＴＡ識別情報フレーム生成部３５２は、ＳＴＡ識別情報取得部３５１から出力されたＳＴＡ識別情報を受け取る。ＳＴＡ識別情報フレーム生成部３５２は、受け取ったＳＴＡ識別情報を用いて、他のアクセスポイント装置へ送信するためのＳＴＡ識別情報フレームを生成する。例えば、ＳＴＡ識別情報フレームは、ＳＴＡ識別情報を含むＩＰ／ＵＤＰ（Internet Protocol/User Datagram Protocol）のような一般的な通信データの形式であってもよい。ＳＴＡ識別情報フレーム生成部３５２は、生成したＳＴＡ識別情報フレームをＳＴＡ識別情報フレーム送信部３５３へ出力する。
【００５９】
ＳＴＡ識別情報フレーム送信部３５３は、ＳＴＡ識別情報フレーム生成部３５２から送信されたＳＴＡ識別情報フレームをＷＡＮ Ｉ／Ｆ３１へ出力する。
【００６０】
図３及び図５は、ＳＴＡ１０をアクセスポイント装置２からアクセスポイント装置３へ切り替えることを可能とする構成について説明したが、一つのアクセスポイント装置が、図３及び図５の構成を有してもよい。図３及び図５の構成を有するアクセスポイント装置は、ＳＴＡ１０の切り替え先及び切り替え元のアクセスポイント装置として動作することができる。
【００６１】
続いて、図６を用いて、ＳＴＡ１０の識別情報をアクセスポイント装置２へ登録する処理の流れについて説明する。ＳＴＡ１０は、接続先アクセスポイント装置を切り替えられるようにするために、事前にアクセスポイント装置２のＳＴＡ識別情報ＤＢ２８３にＳＴＡ１０のＢｌｕｅｔｏｏｔｈアドレスとＭＡＣアドレスとを登録する必要がある。ＳＴＡ１０は、以下に説明する手順によりＢｌｕｅｔｏｏｔｈアドレスとＭＡＣアドレスとをＳＴＡ識別情報ＤＢ２８３に登録する。
【００６２】
はじめに、ＳＴＡ１０は、アクセスポイント装置２に対する無線ＬＡＮアクセス処理を実行する（Ｓ１１）。無線ＬＡＮアクセス処理は、例えば、ＳＴＡ１０が、アクセスポイント装置２によって形成される無線ＬＡＮ通信エリア内へ移動した場合、もしくは、ＳＴＡ１０が、アクセスポイント装置２によって形成される無線ＬＡＮ通信エリア内において、電源を投入した場合、等に実行される。
【００６３】
次に、アクセスポイント装置２のＳＴＡ識別情報データ生成部２６は、ＷＬＡＮ Ｉ／Ｆ２２から出力されたＳＴＡ１０のＭＡＣアドレスを保持する（Ｓ１２）。
【００６４】
次に、ＳＴＡ１０は、アクセスポイント装置２に対するＢｌｕｅｔｏｏｔｈペアリング処理を実行する（Ｓ１３）。Ｂｌｕｅｔｏｏｔｈペアリング処理は、例えば、ＳＴＡ１０が、アクセスポイント装置２によって形成されるＢｌｕｅｔｏｏｔｈ通信エリア内へ移動した場合、もしくは、ＳＴＡ１０が、アクセスポイント装置２によって形成されるＢｌｕｅｔｏｏｔｈ通信エリア内において、電源を投入した場合、等に実行される。
【００６５】
次に、アクセスポイント装置２のＳＴＡ識別情報データ生成部２６は、Ｂｌｕｅｔｏｏｔｈ Ｉ／Ｆ２３を介して出力されたＳＴＡ１０のＢｌｕｅｔｏｏｔｈアドレスを保持する（Ｓ１４）。
【００６６】
次に、ユーザ設定Ｉ／Ｆ２７は、アクセスポイント装置２を操作するユーザからの情報入力を受け付けるＧＵＩを表示する（Ｓ１５）。次に、ユーザは、表示されたＧＵＩを介して、ＳＴＡ１０のＭＡＣアドレスとＢｌｕｅｔｏｏｔｈアドレスとを組み合わせることを示す情報を入力する（Ｓ１６）。例えば、ユーザは、ＳＴＡ１０のＭＡＣアドレスとＢｌｕｅｔｏｏｔｈアドレスとを選択し、ＳＴＡ１０と選択した情報とを組み合わせるために、ＧＵＩ上の登録ボタン等を押下してもよい。ＳＴＡ識別情報データ生成部２６は、ユーザから入力された情報によって、ＳＴＡ１０のＭＡＣアドレスとＢｌｕｅｔｏｏｔｈアドレスとの組み合わせを把握することができる。ＳＴＡ識別情報データ生成部２６は、ＳＴＡ１０のＭＡＣアドレスとＢｌｕｅｔｏｏｔｈアドレスとの組み合わせをＳＴＡ識別情報ＤＢ２８３へ出力する。
【００６７】
図６に示す処理をＳＴＡ毎に実行することによって、ＳＴＡ識別情報ＤＢ２８３は、ＳＴＡ毎にＭＡＣアドレスとＢｌｕｅｔｏｏｔｈアドレスとの組み合わせを保持することができる。
【００６８】
また、アクセスポイント装置２が、ネットワークを介してＳＴＡ識別情報ＤＢ２８３のデータをアクセスポイント装置３へ送信することによって、ＳＴＡ１０が、各アクセスポイント装置において同じ登録作業を行う手間を省くようしてもよい。また、ＳＴＡ識別情報ＤＢ２８３は、他のアクセスポイント装置からＳＴＡ毎にＭＡＣアドレスとＢｌｕｅｔｏｏｔｈアドレスとの組み合わせを取得してもよい。
【００６９】
続いて図７を用いて、ＳＴＡ１０が接続するアクセスポイント装置を切り替える処理の流れについて説明する。はじめに、ＳＴＡ１０は、アクセスポイント装置２に対する無線ＬＡＮアクセス処理を実行する（Ｓ２１）。次に、ＳＴＡ１０は、アクセスポイント装置２から離れ、かつ、アクセスポイント装置３のＢｌｕｅｔｏｏｔｈ通信エリア３０１内へ移動する（Ｓ２２）。次に、ＳＴＡ１０は、アクセスポイント装置３に対するＢｌｕｅｔｏｏｔｈアクセス処理を実行する（Ｓ２３）。ＳＴＡ１０がアクセスポイント装置３とＢｌｕｅｔｏｏｔｈ接続を行う時には、ＳＴＡ１０とアクセスポイント装置３とは、互いに機器認証が完了しており、ペアリングが行われている状態とする。そのため、ＳＴＡ１０がアクセスポイント装置３のＢｌｕｅｔｏｏｔｈ通信エリア３０１内へ移動すると、ＳＴＡ１０は、自動的にアクセスポイント装置３へＢｌｕｅｔｏｏｔｈアクセス処理を実行する。ＳＴＡ１０とアクセスポイント装置３とのＢｌｕｅｔｏｏｔｈ接続が確立されると、ＳＴＡ識別情報取得部３５１は、ＳＴＡ１０のＢｌｕｅｔｏｏｔｈアドレスを取得する。次に、ＳＴＡ識別情報フレーム送信部３５３は、ＳＴＡ識別情報フレーム生成部３５２において生成されたＳＴＡ識別情報フレームを、ネットワークを介してアクセスポイント装置２へ送信する（Ｓ２４）。ＳＴＡ識別情報フレームは、ＳＴＡ１０のＢｌｕｅｔｏｏｔｈアドレス情報を含む。
【００７０】
アクセスポイント装置３は、マルチキャストフレームもしくはブロードキャストフレームとしてＳＴＡ識別情報フレームをネットワークへ送信してもよい。アクセスポイント装置３は、ＳＴＡ識別情報フレームをマルチキャストフレームもしくはブロードキャストフレームとして送信することによって、ネットワーク上の複数のＡＰに対してＳＴＡ識別情報フレームを送信することができる。言い換えると、アクセスポイント装置３は、ＳＴＡ１０が、現在どのアクセスポイント装置に接続しているか否かを認識する必要はない。
【００７１】
ＳＴＡ識別情報フレームを受信したアクセスポイント装置は、ＳＴＡ識別情報フレームに含まれるＢｌｕｅｔｏｏｔｈアドレスによって識別されるＳＴＡと無線ＬＡＮ通信を介して接続しているか否かを認識することができる。アクセスポイント装置は、ＳＴＡ識別情報フレームに含まれるＢｌｕｅｔｏｏｔｈアドレスによって識別されるＳＴＡと無線ＬＡＮ通信を介して接続していると判定した場合、無線ＬＡＮ通信を解除し、ＳＴＡ識別情報フレームに含まれるＢｌｕｅｔｏｏｔｈアドレスによって識別されるＳＴＡと無線ＬＡＮ通信を介して接続していないと判定した場合、ＳＴＡ識別情報フレームを廃棄してもよい。
【００７２】
次に、アクセスポイント装置２のＷＬＡＮ情報取得部２８２は、ＳＴＡ識別情報フレームに含まれるＢｌｕｅｔｏｏｔｈアドレスに対応するＭＡＣアドレスをＳＴＡ識別情報ＤＢ２８３から抽出する（Ｓ２５）。
【００７３】
次に、ＷＬＡＮ切断指示部２８４は、ＷＬＡＮ情報取得部２８２から通知されたＭＡＣアドレスを有するＳＴＡ１０との無線ＬＡＮ接続を切断する（Ｓ２６）。次に、ＳＴＡ１０は、アクセスポイント装置２との無線ＬＡＮ接続が切断されたことによって、他のアクセスポイント装置との無線ＬＡＮ再接続を行う。この時、ＳＴＡ１０は、例えば、アクセスポイント装置２よりもアクセスポイント装置３のほうが電波強度が強いと判定した場合、アクセスポイント装置３へ無線ＬＡＮ接続（ＷＬＡＮアクセス）を行う（Ｓ２７）。
【００７４】
以上説明したように、図２の通信システムを用いることによって、アクセスポイント装置３は、ＳＴＡ１０の移動を検知し、アクセスポイント装置２に対して、ＳＴＡ１０との無線ＬＡＮ接続を切断するよう促すことができる。これによって、ＳＴＡ１０は、アクセスポイント装置２との無線ＬＡＮ接続を切断した後、電波強度の強いアクセスポイント装置に対して接続しなおすことができる。
【００７５】
また、ＳＴＡ１０は、一般的に搭載されているＢｌｕｅｔｏｏｔｈ通信機能及び無線ＬＡＮ通信機能のみを使用することによって、アクセスポイント装置の切り替えを行うことができる。そのため、既に市場に広く普及しているＳＴＡに新たな機能を盛り込むことなく、アクセスポイント装置の接続先の自動切り替えを実現することができる。
【００７６】
また、アクセスポイント装置においても、Ｂｌｕｅｔｏｏｔｈアドレス及びＭＡＣアドレスのように、一般的に、アクセスポイント装置において認識することができる情報を使用しているため、ファームウェアの更新のみでＳＴＡ１０のアクセスポイント装置の切り替えを実現させることができる。つまり、アクセスポイント装置においては、新たなハードウェア設計が不要であり、ファームウェアの更新のみで対応することができる。
【００７７】
上述の実施の形態では、本発明をハードウェアの構成として説明したが、本発明は、これに限定されるものではない。本発明は、アクセスポイント装置２もしくはアクセスポイント装置３における処理を、ＣＰＵ（Central Processing Unit）にコンピュータプログラムを実行させることにより実現することも可能である。）
【００７８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７９】
なお、本発明は上記実施の形態に限られたものではなく、趣旨を逸脱しない範囲で適宜変更することが可能である。例えば、上記実施の形態においては、近距離無線通信としてＢｌｕｅｔｏｏｔｈ通信を用いて説明したが、他の通信方式が用いられてもよい。例えば、近距離無線通信として、ＮＦＣ（Near Field Communication）を用いてもよい。この場合、図３におけるＢｌｕｅｔｏｏｔｈ Ｉ／Ｆ２３及び図４におけるＢｌｕｅｔｏｏｔｈ Ｉ／Ｆ３４をＮＦＣ通信を可能とするＮＦＣ Ｉ／Ｆ等へ置き換えてもよい。このようにＮＦＣ Ｉ／Ｆを用いることによって、ＮＦＣ通信を実行してもよい。また、アクセスポイント装置は、近距離無線通信として、Ｂｌｕｅｔｏｏｔｈ通信及びＮＦＣ通信の両方の通信に対応していてもよい。この場合、アクセスポイント装置は、ＳＴＡが対応している近距離無線通信方式に応じて、使用するＩ／Ｆを変更してもよい。
【００８０】
上記の実施形態の一部又は全部は、以下の付記のようにも記載されうるが、以下には限られない。
【００８１】
（付記１）無線ＬＡＮ通信を介して通信端末と接続する無線ＬＡＮ通信部と、前記通信端末の識別情報を管理する管理部と、を備え、前記無線ＬＡＮ通信部は、前記通信端末が他のアクセスポイント装置と近距離無線通信を介して接続した際に、前記他のアクセスポイント装置から送信された前記通信端末の識別情報を受信すると、前記通信端末との接続を解除する、アクセスポイント装置。
（付記２）前記管理部は、前記通信端末のＭＡＣアドレスと、前記通信端末が近距離無線通信を行う際に前記通信端末を識別するために使用される近距離無線通信アドレスとを関連づけて管理する、付記１に記載のアクセスポイント装置。
（付記３）前記管理部は、前記通信端末が近距離無線通信を介して接続した際に、近距離無線通信アドレスを受け取り、前記通信端末を識別するＭＡＣアドレスと、前記通信端末を識別する近距離無線通信アドレスとを関連付けることを指示する指示情報を受け取ると、前記通信端末を識別するＭＡＣアドレスと、前記通信端末を識別する近距離無線通信アドレスとを関連付けて管理する、付記２に記載のアクセスポイント装置。
（付記４）受信したデータが、前記他のアクセスポイント装置から送信された前記通信端末の識別情報を含むデータであるか否かを判定する解析部をさらに備える、付記１乃至３のいずれか１項に記載のアクセスポイント装置。
（付記５）無線ＬＡＮ通信エリアを形成する無線ＬＡＮ通信部と、前記無線ＬＡＮ通信エリアに含まれる近距離無線通信エリアを形成し、前記近距離無線通信エリア内に移動してきた通信端末と近距離無線通信を行う近距離無線通信部と、前記通信端末と他のアクセスポイント装置との間の無線ＬＡＮ通信を介した接続を解除させるために、前記通信端末の識別情報を他のアクセスポイント装置へ送信するＷＡＮ通信部と、を備えるアクセスポイント装置。
（付記６）前記無線ＬＡＮ通信部は、前記通信端末の識別情報を受信した前記他のアクセスポイント装置において無線ＬＡＮ通信を解除された前記通信端末から送信された接続要求に応じて、前記通信端末と無線ＬＡＮ通信を介して接続する、付記５に記載のアクセスポイント装置。
（付記７）前記ＷＡＮ通信部は、複数のアクセスポイント装置へ、前記通信端末の識別情報を送信する、付記５又は６に記載のアクセスポイント装置。
（付記８）前記ＷＡＮ通信部は、前記通信端末の識別情報として、前記通信端末が近距離無線通信を行う際に前記通信端末を識別するために使用される近距離無線通信アドレスを前記他のアクセスポイント装置へ送信する、付記５乃至７のいずれか１項に記載のアクセスポイント装置。
（付記９）通信端末と無線ＬＡＮ通信を介して接続している第１のアクセスポイント装置と、前記第１のアクセスポイント装置の周辺に位置する第２のアクセスポイント装置と、を備える無線ＬＡＮ通信システムであって、前記通信端末が前記第２のアクセスポイント装置が形成する近距離無線通信エリアに移動し、前記第２のアクセスポイント装置と近距離無線通信を行うと、前記第２のアクセスポイント装置は、前記通信端末の識別情報を前記第１のアクセスポイント装置へ送信し、前記第１のアクセスポイント装置は、前記通信端末の識別情報を受信すると、前記通信端末との接続を解除する、通信システム。
（付記１０）無線ＬＡＮ通信を介して通信端末と接続し、前記通信端末が他のアクセスポイント装置と近距離無線通信を介して接続した際に、前記他のアクセスポイント装置から送信された前記通信端末の識別情報を受信し、前記通信端末との接続を解除する、無線ＬＡＮ通信接続解除方法。
（付記１１）無線ＬＡＮ通信エリアに含まれる近距離無線通信エリア内に移動してきた通信端末と近距離無線通信を行い、前記通信端末と他のアクセスポイント装置との間の無線ＬＡＮ通信を介した接続を解除させるために、前記通信端末の識別情報を他のアクセスポイント装置へ送信する無線ＬＡＮ通信接続方法。
（付記１２）無線ＬＡＮ通信を介して通信端末と接続し、前記通信端末が他のアクセスポイント装置と近距離無線通信を介して接続した際に、前記他のアクセスポイント装置から送信された前記通信端末の識別情報を受信し、前記通信端末との接続を解除ことをコンピュータに実行させるプログラム。
（付記１３）無線ＬＡＮ通信エリアに含まれる近距離無線通信エリア内に移動してきた通信端末と近距離無線通信を行い、前記通信端末と他のアクセスポイント装置との間の無線ＬＡＮ通信を介した接続を解除させるために、前記通信端末の識別情報を他のアクセスポイント装置へ送信することをコンピュータに実行させるプログラム。
【符号の説明】
【００８２】
１  通信端末
２  アクセスポイント装置
３  アクセスポイント装置
１０  ＳＴＡ
１１  管理部
１２  無線ＬＡＮ通信部
２１  ＷＡＮ Ｉ／Ｆ
２２  ＷＬＡＮ Ｉ／Ｆ
２３  Ｂｌｕｅｔｏｏｔｈ Ｉ／Ｆ
２４  フレーム解析部
２５  ＷＬＡＮ ＡＰ処理部
２６  ＳＴＡ識別情報データ生成部
２７  ユーザ設定Ｉ／Ｆ
２８  ＷＬＡＮ切断制御部
３１  ＷＡＮ Ｉ／Ｆ
３２  ＷＬＡＮ Ｉ／Ｆ
３３  ＷＬＡＮ ＡＰ処理部
３４  Ｂｌｕｅｔｏｏｔｈ Ｉ／Ｆ
３５  ＳＴＡ識別情報制御部
２０１  Ｂｌｕｅｔｏｏｔｈ通信エリア
２０２  ＷＬＡＮ通信エリア
２８１  ＳＴＡ識別情報フレーム受信部
２８２  ＷＬＡＮ情報取得部
２８３  ＳＴＡ識別情報ＤＢ
２８４  ＷＬＡＮ切断指示部
３０１  Ｂｌｕｅｔｏｏｔｈ通信エリア
３０２  ＷＬＡＮ通信エリア
３５１  ＳＴＡ識別情報取得部
３５２  ＳＴＡ識別情報フレーム生成部
３５３  ＳＴＡ識別情報フレーム送信部
【図１】
2016072671.tif 000003
【図２】
2016072671.tif 000004
【図３】
2016072671.tif 000005
【図４】
2016072671.tif 000006
【図５】
2016072671.tif 000007
【図６】
2016072671.tif 000008
【図７】
2016072671.tif 000009